(57)【要約】【課題】  内視鏡の挿入部に外嵌される挿入補助具のバルーンを容易に交換できる挿入補助具を提供するものである。【解決手段】  内視鏡の挿入部に外嵌される可撓性のチューブからなる挿入補助具本体と、チューブの外周にバルーンを固定したチューブ部材とから構成され、硬質材料からなる凹状の第１結合部材と凸状の第２結合部材との嵌合・離脱によって、挿入補助具本体の先端にチューブ部材を着脱自在に取り付ける挿入補助具であって、前記第１結合部材に形成した係合孔と第２結合部材に形成した係合ピンとの係合によって、第１結合部材と第２結合部材との嵌合状態の保持を図り、さらに前記係合孔と係合ピンとの係合を解除することによって、嵌合状態の第１結合部材と第２結合部材とを離脱する。【選択図】  図１
2005080974.tif 000002
【特許請求の範囲】
【請求項１】
内視鏡の挿入部に外嵌される可撓性のチューブ（１Ａ）からなる挿入補助具本体（１０）と、チューブ（１Ｂ）の外周にバルーン（２）を固定したチューブ部材（２０）とから構成され、硬質材料からなる凹状の第１結合部材（４１）と凸状の第２結合部材（６１）との嵌合・離脱によって、挿入補助具本体（１０）の先端にチューブ部材（２０）を着脱自在に取り付ける挿入補助具であって、
前記第１結合部材（４１）に形成した係合孔（５）と第２結合部材（６１）に形成した係合ピン（７）との係合によって第１結合部材（４１）と第２結合部材（６１）との嵌合状態を保持し、
さらに前記係合孔（５）と係合ピン（７）との係合を解除することによって、嵌合状態の第１結合部材（４１）と第２結合部材（６１）とを離脱することを特徴とする内視鏡用挿入補助具。
【請求項２】
金属材料からなる結合部材（４１，６１）を設けたことを特徴とする請求項１に記載の内視鏡用挿入補助具。
【請求項３】
挿入補助具本体（１０）に凹状の第１結合部材（４１）を設けるとともに、チューブ部材（２０）に凸状の第２結合部材（６１）を設け、少なくとも１組の係合孔（５）と係合ピン（７）との係合によって、前記第１結合部材（４１）と第２結合部材（６１）との嵌合状態を保持することを特徴とする請求項１または２に記載の内視鏡用挿入補助具。
【請求項４】
硬質材料からなる結合部材（４３，６３）に送気孔と連通する貫通孔（８Ａ，８Ｂ）を設けたことを特徴とする請求項１ないし３の何れか１項に記載の内視鏡用挿入補助具。
【請求項５】
送気孔（３Ａ，３Ｂ）の連結部分に硬質材料からなる連結パイプ（８）を設けたことを特徴とする請求項１ないし４の何れか１項に記載の内視鏡用挿入補助具。
【発明の詳細な説明】
【技術分野】
【０００１】
本発明は、大腸、小腸等に内視鏡を挿通するときに利用する挿入補助具に関する。
【背景技術】
【０００２】
大腸や小腸等への内視鏡の挿入操作を容易にするために挿入補助具の利用が知られている（特許文献１を参照）。
図１０は内視鏡とともに使用される挿入補助具を示すものであって、内視鏡の挿入部に外嵌される可撓性のチューブ１０１からなるシース部と、その先端部のチューブ外周に取り付けられ膨張・収縮自在のバルーン１０２と、このバルーンを膨張させる送気手段１０３とを備えている。
前記バルーン１０２は腸内の内壁を傷つけないように、ラテックスなどの柔らかな樹脂素材からなるが、このラテックスなどの樹脂素材からなるバルーンは耐久性がなく、洗浄するのも困難である。そのためバルーンの交換を可能とし、先端部にバルーンを着脱自在に取り付けることができる挿入補助具が開発されている。
【０００３】
例えば、先端部のチューブ外周の前後２箇所に円周溝を形成するとともに、バルーンの両端に前記円周溝に係脱自在な環状リングを一体に形成し、前記環状リングを円周溝に嵌合することによってバルーンを着脱自在に取り付ける方法や（特許文献２を参照）、内視鏡の挿入部に外嵌される可撓性のチューブからなる挿入補助具本体の先端に、チューブ外周にバルーンを固定してあるチューブ部材を嵌合することによって、挿入補助具の先端にバルーンを着脱自在に取り付ける方法がある（特許文献３を参照）。そして上述の挿入補助具本体とチューブ部材とを嵌合する方法では、挿入補助具本体の先端と前記チューブ部材との双方に螺子部を持つ結合部材を設け、これら結合部材を螺子止め（螺子結合）することが開示されている。
【特許文献１】特公平５−３９６１２号公報
【特許文献２】特開２００３−１５９２０８号公報
【特許文献３】特開平１０−１５５７３３号公報
【発明の開示】
【発明が解決しようとする課題】
【０００４】
しかしながら、チューブ外周に形成した円周溝にバルーンのリングを嵌合することによってバルーンを取り付ける挿入補助具では、バルーンの着脱が困難であり、着脱の容易性が望まれていた。
また、リング止めや螺子止め等によってバルーンを取り付けた場合、使用時にバルーンが外れてしまう虞があった。挿入補助具を腸内に挿入して使用するとき、腸壁によるチューブへの押圧や、チューブの捩れなどの動きを伴う。そして、このチューブにかかる押圧やチューブの動き（捩れなど）によって、取り付けたバルーンが外れる虞があった。
例えば、バルーンを備えるチューブ部材を挿入補助具本体の先端に螺子止めして嵌合した挿入補助具では、チューブの捩れなどの動きによって螺子止めしたチューブ部材が外れてしまう虞があった。
【０００５】
そこで本発明は、大腸や小腸などに挿入して利用する内視鏡用挿入補助具において、バルーンの装着が容易であり、かつチューブの捩れなどの動きによってバルーンが外れることがない挿入補助具を提供することを目的とする。
【課題を解決するための手段】
【０００６】
この発明は、内視鏡の挿入部に外嵌される可撓性のチューブからなる挿入補助具本体と、チューブの外周にバルーンを固定したチューブ部材とから構成され、硬質材料からなる凹状の第１結合部材と、凸状の第２結合部材との嵌合・離脱によって、挿入補助具本体の先端にチューブ部材を着脱自在に取り付ける挿入補助具であって、前記第１結合部材に形成した係合孔と、第２結合部材に形成した係合ピンとの係合によって、第１結合部材と第２結合部材との嵌合状態を保持し、さらに前記係合孔と係合ピンとの係合を解除することによって、嵌合状態の第１結合部材と第２結合部材とを離脱するものである。
【発明の効果】
【０００７】
本発明による内視鏡用挿入補助具によれば、硬質材料からなる凹状の第１結合部材と凸状の第２結合部材との嵌合・離脱によって、可撓性のチューブからなる挿入補助具本体のチューブ先端に、チューブの外周にバルーンを固定したチューブ部材を着脱自在に取り付けることができ、さらに係合孔と係合ピンとの係合によって前記各結合部材による嵌合状態が保持（維持）されるため、挿入補助具の使用時にバルーンが外れる虞がない。また前記係合孔と係合ピンとの係合状態を解除する治具を使用することによって、嵌合状態の各結合部材を離脱し、容易にバルーンを取り外すことができる。
さらに金属材料からなる結合部材を設けた場合、Ｘ線透視下による挿入補助具の使用の際に前記結合部材がマーカの役割を果たし、体内での挿入補助具の先端位置を確認することができる。
【発明を実施するための最良の形態】
【０００８】
この発明による内視鏡用挿入補助具について図１〜図８を参照して説明する。
この発明による挿入補助具は、内視鏡の挿入部に外嵌される可撓性のチューブ１Ａからなる挿入補助具本体１０と、チューブ１Ｂの外周にバルーン２を固定したチューブ部材２０とから構成され、前記挿入補助具本体１０とチューブ部材２０とに設けた硬質材料からなる各結合部材４１，６１（または図４の符号４２，６２、または図５及び図６の符号４３，６３，または図７の符号４４，６４、または図８の符号４５，６５）を嵌合することによって、挿入補助具本体１０の先端にバルーン２を備えるチューブ部材２０を取り付けるものである。
【０００９】
この発明による内視鏡用挿入補助具の第１実施例について、図１〜３を参照して説明する。
図１は、挿入補助具本体１０とチューブ部材２０とが離脱した状態を示し、図３は、挿入補助具本体１０とチューブ部材２０とが嵌合（連結）した状態を示す。また図２の断面図は、図１に示す挿入補助具の各結合部材を示すものである。
図１（ａ）の断面図に示すように、この実施例では、可撓性のチューブ１Ａからなる挿入補助具本体１０のチューブ先端に、硬質材料からなる凹状の第１結合部材４１を設けるとともに、可撓性のチューブ１Ｂからなるチューブ部材２０に、硬質材料からなる凸状の第２結合部材６１を設けた。
なお前記チューブ部材２０のチューブ１Ｂの外周にはラテックスなどの柔らかい樹脂材料からなるバルーン２が固定されている。
【００１０】
図１（ｂ）は、各チューブ１Ａ，１Ｂの連結部分（チューブ断面）に設けた第１結合部材４１及び第２結合部材６１の平面図である。
各結合部材４１，６１はチューブ断面に沿って形成され、挿入補助具本体１０には環状溝型（凹状）の第１結合部材４１が形成され、チューブ部材２０には環状突起型（凸状）の第２結合部材６１が形成されている。
【００１１】
この実施例では、インサート成形によって、挿入補助具本体１０のチューブ１Ａの連結部分（チューブ断面）に金属などの硬質材料からなる凹状の第１結合部材４１を形成するとともに、チューブ部材２０のチューブ１Ｂの連結部分（チューブ断面）に金属などの硬質材料からなる凸状の第２結合部材６１を形成した。
【００１２】
また、第２結合部材６１の周面の少なくとも１箇所に係合ピン取付孔７Ｃを形成し、この係合ピン取付孔７Ｃに係合ピン７を固定するとともに、前記係合ピン７が係合する係合孔５を第１結合部材４１に形成した（図２を参照）。
【００１３】
図２に示すように、環状突起型（凸状）の第２結合部材６１には、バルーン２への送気手段である送気孔３Ｂの配設位置と反対側の外周面に係合ピン取付孔７Ｃを形成し、この取付孔７Ｃに、バネやゴムやスポンジなどの弾性体からなる収縮部７Ｂと硬質材料からなる硬性部７Ａとから構成される係合ピン７を固定した。
また前記第２結合部材６１を嵌合する環状溝型（凹状）の第１結合部材４１には、送気孔３Ａの配設位置と反対側の外周面（チューブ１Ａの外周壁１ａと第１結合部材４１の外周壁４ａ）を貫通する係合孔５を形成した。
【００１４】
通常は、前記係合ピン７の硬性部７Ａが係合ピン取付孔７Ｃ内から上方に突出し、第２結合部材６１の外周面には前記係合ピン７（硬性部７Ａ）による突起が形成される。
そして前記係合ピン７の伸縮部７Ｂを圧縮させて係合ピン７を押下げ、凹状の第１結合部材４１と凸状の第２結合部材６１とを嵌合するとともに、前記第１結合部材４１の係合孔５において伸縮部７Ｂの圧縮状態を解放し、係合ピン７を再び上方に突出させる。
つまり第１結合部材４１と第２結合部材６１とを嵌合すると同時に、前記第１結合部材６１の係合孔５と第２結合部材６１の係合孔ピン７とを係合し、前記係合孔５と係合ピン７との係合によって第１結合部材４１と第２結合部材６１との嵌合状態を保持する。（図３を参照）
【００１５】
さらにこの実施例では、バルーン２への送気手段の確保を図るため、挿入補助具本体１０の送気孔３Ａとチューブ部材２０の送気孔３Ｂとを連結するための連結パイプ８を設けた。
この実施例によれば、硬質材料からなる連結パイプ８の一端をチューブ部材２０の送気孔３Ｂに予め挿入しておくとともに、第１結合部材４１と第２結合部材６１とを嵌合するときに、前記連結パイプ８の他端を挿入補助具本体１０の送気孔３Ａに挿入することによって、送気孔３Ａ，３Ｂ同士の連結（送気手段の確保）を図り、さらに前記送気孔３Ａ，３Ｂへの連結パイプ８の挿入によって、挿入補助具１０とチューブ部材２０との回転ズレを防止し、第１結合部材４１と第２結合部材６１との嵌合状態の保持を図った。
【００１６】
つまり第１実施例の挿入補助具では、硬質材料からなる第１結合部材４１と第２結合部材６１との嵌合・離脱によって、挿入補助具本体１０の先端にバルーン２を備えるチューブ部材２０を着脱自在に取り付けるにあたって、第１結合部材４１の係合孔５と第２結合部材６１の係合ピン７との係合と、硬質材料からなる連結パイプ８の送気孔３Ａ，３Ｂへの挿入とによって、第１結合部材４１と第２結合部材６１との嵌合状態を保持（維持）する。
【００１７】
さらに、この発明による内視鏡用挿入補助具の第２実施例について、図４を参照して説明する。
図４に示す第２実施例は、第１実施例と同様に、係合孔５を備える第１結合部材４２を挿入補助具本体１０に設け、係合ピン７を備える第２結合部材６２をチューブ本体２０に設けたものであって、さらに硬質材料からなる連結パイプ８１を前記第２結合部材６２の側方に一体に形成したものを使用した。
なお、連結パイプ８１を一体に形成した第２結合部材６２をチューブ部材２０に設けるにあたって、前記連結パイプ８１と送気孔３Ｂとが連通するように配設するとともに、第２結合部材６２の凸部と平行な結パイプ８１の先端をチューブ断面から突出させた。
【００１８】
そして第１結合部材４２と第２結合部材６２とを嵌合するときに、第２結合部材６２と一体に形成した連結パイプ８１の先端を挿入補助具本体１０の送気孔３Ａに挿入することによって、送気孔３Ａ，３Ｂの連結（送気手段の確保）を図るとともに、前記連結パイプ８１の送気孔３Ａへの挿入によって、挿入補助具本体１０とチューブ部材２０との回転ズレを防止し、第１結合部材４２と第２結合部材６２との嵌合状態を保持した。
なお連結パイプ８１は第１嵌合部材４２と一体に形成してもよく、その場合は、挿入補助具本体１０の送気孔３Ａと連通するように配設した連結パイプ８１の先端を、チューブ部材２０の送気孔３Ｂに挿入する。
【００１９】
つまり第２実施例の挿入補助具も、第１実施例と同様に、係合ピン７と係合孔５による係合と、硬質材料からなる連結パイプ８１の送気孔への挿入とによって、第１結合部材４２と第２結合部材６２との嵌合状態を保持（維持）する。
【００２０】
なお第１及び第２実施例では、送気孔３Ａ，３Ｂの配設位置と反対側に形成した１組の係合ピン７と係合孔５との係合によって、各結合部材の嵌合状態を保持（維持）するように構成したが、複数組の係合孔５と係合ピン７との係合によって各結合部材の嵌合状態を保持（維持）するように構成してもよい。
さらに連結パイプ８，８１が挿入される送気孔の内壁にパッキンを設けて（図示せず）、送気孔の内壁と連結パイプ８，８１とを密着させ、送気孔３Ａ，３Ｂの連結部分の気密性が向上するように構成してもよい。
【００２１】
次に、この発明による内視鏡用挿入補助具の第３実施例について、図５及び図６を参照して説明する。
図５は、挿入補助具本体１０とチューブ部材２０とが離脱した状態を示し、図６は、挿入補助具本体１０とチューブ部材２０とが嵌合（連結）した状態を示す。
図５（ａ）の断面図に示すように、この実施例では、可撓性のチューブ１Ａからなる挿入補助具本体１０のチューブ先端に、硬質材料からなる凹状の第１結合部材４３を設けるとともに、可撓性のチューブ１Ｂからなるチューブ部材２０に、硬質材料からなる凸状の第２結合部材６３を設けた。
なお前記チューブ部材２０のチューブ１Ｂの外周にはラテックスなどの柔らかい樹脂材料からなるバルーン２が固定されている。
【００２２】
この実施例では第１実施例と同様に、第１結合部材４３に係合孔５を形成するとともに、第２結合部材６３に係合ピン７を形成し、前記第１結合部材４３と第２結合部材６３とを嵌合するときに、係合孔５と係合ピン７とを係合し、第１結合部材４３と第２結合部材６３との嵌合状態を保持（維持）する。
【００２３】
さらにこの実施例では、送気手段の確保を図るため、凹状の第１結合部材４３の中央を貫通させて挿入補助具本体１０の送気孔３Ａと連通する第１貫通孔８Ａを形成するとともに、凸状の第２結合部材６３の中央を貫通させてチューブ部材２０の送気孔３Ｂと連通する第２貫通孔８Ｂを形成した。
【００２４】
そして第１結合部材４３と第２結合部材６３とを嵌合するとき、第２結合部材６３に形成した第２貫通孔８Ｂの先端を、第１結合部材４３に形成した第２貫通孔８Ａに一致させ、第１貫通孔８Ａと第２貫通孔８Ｂとを連結し、挿入補助具本体１０の送気孔３Ａとチューブ部材２０の送気孔３Ｂとを連通させた。（図６を参照）
つまりこの実施例では、硬質材料からなる結合部材４３，６３の嵌合によって各貫通孔８Ａ，８Ｂを連結し、第１実施例による連結パイプ８の役割と同様に送気手段の確保を図った。
なおこの実施例では、第１結合部材４３の第１貫通孔８Ａの開口周囲にパッキン９１を設け、前記パッキン９１の介在によって、貫通孔８Ａ，８Ｂ同士の連結部分の気密性を向上させて送気手段を確保した。
【００２５】
さらに、この発明による内視鏡用挿入補助具の第４実施例について、図７を参照して説明する。
図７に示す第４実施例は、第３実施例と同様に、係合孔５と第１貫通孔８Ａとを備える第１結合部材４４を挿入補助具本体１０に設け、係合ピン７と第２貫通孔８Ｂを備える第２結合部材６４をチューブ部材２０に設けたものであって、さらに前記第２結合部材６４の中央に連結パイプ８２を一体に形成したものを使用した。すなわち硬質材料からなる連結パイプ８２を、チューブ部材２０の送気孔３Ｂに連通する第２貫通孔８Ｂに取り付けた第２結合部材６４を使用した。
【００２６】
そして第１結合部材４４と第２結合部材６４とを嵌合するときに、第２結合部材６４と一体に形成した連結パイプ８２の先端を、第１結合部材４４の第１貫通孔８Ａに挿入することによって送気手段の確保を図り、さらに前記連結パイプ８２の貫通孔８Ａへの挿入によって、挿入補助具本体１０とチューブ部材２０との回転ズレを防止し、第１結合部材４４と第２結合部材６４との嵌合状態を保持した。
なおこの実施例では、第１結合部材４４の第１貫通孔８Ａの内壁面にパッキン９２を設け、前記パッキン９２によって第１貫通孔８Ａと連結パイプ８２とを密着させ、連結部分の気密性を向上させて送気手段を確保した。
【００２７】
続いて、この発明による内視鏡用挿入補助具の第５実施例について、図８を参照して説明する。
図８（ａ）の断面図に示すように、この実施例では、可撓性のチューブ１Ａからなる挿入補助具本体１０のチューブ先端に、硬質材料からなる凹状の第１結合部材４５を設けるとともに、可撓性のチューブ１ｂからなるチューブ部材２０に、硬質材料からなる凸状の第２結合部材６５を設けた。
なお前記チューブ部材２０のチューブ１Ｂの外周にはラテックスなどの柔らかい樹脂材料からなるバルーン２が固定されている。
【００２８】
また第１実施例と同様に、第１結合部材４５に係合孔５を形成するとともに、第２結合部材６５に係合ピン７を形成し、前記第１結合部材４５と第２結合部材６５とを嵌合したときに、係合孔５と係合ピン７とを係合し、各結合部材の嵌合状態を保持する。
そしてこの実施例では、第１結合部材４５に複数の係合孔５を形成するとともに、第２結合部材６５に複数の係合ピン７を形成し、複数組の係合孔５と係合ピン７との係合によって各結合部材の嵌合状態を保持（維持）した。
すなわち図８（ｂ）に示すように、送気孔３Ａ，３Ｂの配設位置に対して９０度の位置にそれぞれ形成された係合ピン７と係合孔５との係合（２組）によって、各結合部材の嵌合状態の保持（維持）を図った。
【００２９】
なお、この実施例では第１実施例と同様に挿入補助具本体１０の送気孔３Ａとチューブ部材２０の送気孔３Ｂとを連結する連結パイプ８を設け、第１結合部材４５と第２結合部材６５とを嵌合するときに、硬質材料からなる連結パイプ８を各送気孔３Ａ，３Ｂに挿入することによって送気手段の確保を図った。
【００３０】
以上説明したように、この発明による内視鏡用挿入補助具は、可撓性のチューブ１Ａからなる挿入補助具本体１０のチューブ先端に、硬質材料からなる凹状の第１結合部材（４１〜４５）を設けるとともに、チューブ１Ｂの外周にバルーン２を固定したチューブ部材２０に、硬質材料からなる凸状の第２結合部材（６１〜６５）を設け、これらの結合部材を嵌合・離脱することによって挿入補助具の先端にバルーン２を着脱自在に取り付ける挿入補助具であって、硬質材料からなる第１結合部材（４１〜４５）と第２結合部材（６１〜６５）とにそれぞれ形成されている係合孔５と係合ピン７とを係合することによって、各結合部材の嵌合状態を保持（維持）し、挿入補助具本体１０からチューブ部材２０が脱落するのを防止する。
【００３１】
なお、各結合部材を挿入補助具本体１０やチューブ部材２０に設けるにあたって、係合ピン７を備える第２結合部材の洗浄の困難性を考慮して、前記第２結合部材を使用毎に交換できるように構成することが好ましい。
すなわち、第１実施例ないし第５実施例に示すように、凹状の第１結合部材（４１〜４５）を挿入補助具本体１０に設け、係合ピ７ンを備える凸状の第２結合部材（６１〜６５）をチューブ部材２０に設けることが好ましい。
【００３２】
さらに、結合部材（４１〜４５，６１〜６５）や連結パイプ（８，８１，８２）を形成するための硬質材料は、金属、硬質樹脂材料などを用いることができる。
金属材料からなる結合部材を形成した場合、前記挿入補助具を利用し、Ｘ線透視下にて体内に内視鏡を体内に挿入するときに、前記金属製の結合部材がマーカの役割を果たし、体内での挿入補助具の先端の位置を確認することができる。
【００３３】
次に、挿入補助具本体１０の先端からチューブ部材２０を取り外す方法と、そのときに使用する治具について、図９を参照して説明する。
図９は、図３に示す挿入補助具本体１０の先端からチューブ部材２０を取り外すための治具３０を示すものである。
この実施例では、開閉自在のリングの内側に突起３１を形成したリング型治具３０を使用し、図９（ａ）に示すように開口状態のリング型治具３０の内側に挿入補助具をセットした後、図９（ｂ）に示すように前記リング型治具３０を閉口して挿入補助具に外嵌する。このとき図９（ｃ）に示すように、リング内側の突起３１を第１結合部材４１の係合孔５に挿入し、係合孔５内にある係合ピン７を押下げる。
そして前記突起３１による係合ピン７の押下げによって、係合ピン７と係合孔５との係合状態を解除し、係合ピン７と係合孔５との係合によって嵌合状態が保持されている第１結合部材４１と第２結合部材６１の嵌合を解き、挿入補助具本体１０の先端からチューブ部材２０を取り外す。
【００３４】
すなわち、この発明による内視鏡用挿入補助具は、硬質材料からなる第１及び第２結合部材の嵌合・離脱によって、挿入補助具本体１０の先端にバルーン２を取り付けたチューブ部材２０を着脱自在に取り付ける挿入補助具であって、係合ピン７と係合孔５との係合によって前記第１及び第２結合部材による嵌合状態を保持してチューブ部材２０の脱落防止を図るとともに、前記係合ピン７を押下げるリング型治具３０を使用することによって、第１及び第２結合部材による嵌合状態を解除し（離脱し）、挿入補助具本体１０からチューブ部材２０を取り外すことができる。
【図面の簡単な説明】
【００３５】
【図１】この発明による内視鏡用挿入補助具の第１実施例（離脱状態）を説明する図である。
【図２】図１に示す内視鏡用挿入補助具の連結部分を示す図である。
【図３】この発明による内視鏡用挿入補助具の第１実施例（嵌合状態）を説明する図である。
【図４】この発明による内視鏡用挿入補助具の第２実施例を説明する図である。
【図５】この発明による内視鏡用挿入補助具の第３実施例（離脱状態）を説明する図である。
【図６】この発明による内視鏡用挿入補助具の第３実施例（嵌合状態）を説明する図である。
【図７】この発明による内視鏡用挿入補助具の第４実施例を説明する図である。
【図８】この発明による内視鏡用挿入補助具の第５実施例を説明する図である。
【図９】チューブ部材を取り外すときに使用する治具を説明する図である。
【図１０】内視鏡用挿入補助具を示す図
【符号の説明】
【００３６】
１Ａ、１Ｂ    チューブ
２    バルーン
３Ａ、３Ｂ    送気孔
４１，４２，４３，４４，４５    第１結合部材
５    係合孔
６１，６２，６３，６４，６５    第２結合部材
７    係合ピン
８，８１，８２    連結パイプ
８Ａ，８Ｂ  貫通孔
９１，９２    パッキン
１０  挿入補助具本体
２０  チューブ部材
３０  リング型治具
【図１】
2005080974.tif 000003
【図２】
2005080974.tif 000004
【図３】
2005080974.tif 000005
【図４】
2005080974.tif 000006
【図５】
2005080974.tif 000007
【図６】
2005080974.tif 000008
【図７】
2005080974.tif 000009
【図８】
2005080974.tif 000010
【図９】
2005080974.tif 000011
【図１０】
2005080974.tif 000012